(57)【特許請求の範囲】
【請求項１】
複数の図形オブジェクトを、ディスプレイ画面上で割り付ける作業を行うための割付装置であって、
オペレータからの指示を入力する指示入力手段と、
前記オペレータからの指示に基づいて、特定の図形オブジェクトおよびその位置を示すオブジェクトデータを生成するオブジェクトデータ生成手段と、
前記オブジェクトデータ生成手段によって生成されたオブジェクトデータを格納するオブジェクトデータ格納手段と、
前記オブジェクトデータ格納手段内に格納されているオブジェクトデータに基づいて、前記ディスプレイ画面上に図形オブジェクトを表示する表示手段と、
前記オペレータからの指示に基づいて、複数の図形オブジェクトの一方の端を所定の基準線に揃える処理を行うオブジェクト整列手段と、
前記オペレータからの指示に基づいて、前記オブジェクトデータ格納手段内に格納されているオブジェクトデータによって示される複数の図形オブジェクトの中から、変形対象オブジェクトおよび変形参照オブジェクトを選択するとともに、前記基準線に直交する方向を変形方向と決定する変形準備手段と、
前記変形対象オブジェクトの前記変形方向に関する寸法が、前記変形参照オブジェクトの前記変形方向に関する寸法に等しくなるように、前記変形対象オブジェクトの前記基準線に揃えられた端の位置を固定した状態で前記変形対象オブジェクトを前記変形方向に伸縮変形させる処理を行い、前記オブジェクトデータ格納手段内のオブジェクトデータを更新する変形処理手段と、
を備えることを特徴とする図形オブジェクトの割付装置。
【請求項２】
複数の図形オブジェクトを、ディスプレイ画面上で割り付ける作業を行うための割付装置であって、
オペレータからの指示を入力する指示入力手段と、
前記オペレータからの指示に基づいて、特定の図形オブジェクトおよびその位置を示すオブジェクトデータを生成するオブジェクトデータ生成手段と、
前記オブジェクトデータ生成手段によって生成されたオブジェクトデータを格納するオブジェクトデータ格納手段と、
前記オブジェクトデータ格納手段内に格納されているオブジェクトデータに基づいて、前記ディスプレイ画面上に図形オブジェクトを表示する表示手段と、
前記オペレータからの指示に基づいて、前記オブジェクトデータ格納手段内に格納されているオブジェクトデータによって示される複数の図形オブジェクトの中から、変形対象オブジェクトおよび変形参照オブジェクトを選択するとともに、変形方向および間隙寸法を決定し、前記変形方向に関して前記変形参照オブジェクトから最も遠くにある前記変形対象オブジェクト上の点を最遠点と定義する変形準備手段と、
前記変形対象オブジェクトと前記変形参照オブジェクトとの間隙が前記間隙寸法に等しくなるように、前記変形対象オブジェクトを、前記最遠点を固定した状態で伸縮変形させる処理を行い、前記オブジェクトデータ格納手段内のオブジェクトデータを更新する変形処理手段と、
を備えることを特徴とする図形オブジェクトの割付装置。
【請求項３】
請求項２に記載の図形オブジェクトの割付装置において、
変形準備手段が、変形方向として、ディスプレイ画面上の縦方向または横方向のいずれか一方を選択することを特徴とする図形オブジェクトの割付装置。
【請求項４】
コンピュータを、請求項１〜３のいずれかに記載の図形オブジェクトの割付装置として機能させるためのプログラムを記録したコンピュータ読み取り可能な記録媒体。
【発明の詳細な説明】
【０００１】
【発明の属する技術分野】
本発明は、図形オブジェクトの割付装置に関し、特に、ディスプレイ画面上に割り付けられた図形オブジェクトを他の図形オブジェクトを参照して変形する処理を行う機能をもった割付装置に関する。
【０００２】
【従来の技術】
コンピュータを利用したＤＴＰ（Desk Top Publishing ）システム、作図システム、多機能なワープロシステムなどでは、種々のオブジェクトを二次元平面上に割り付ける作業を行うことができる。これらのシステムでは、通常、文字列、画像、図形などのオブジェクトを、二次元平面上の任意の位置に任意の態様で割り付けることができる。オペレータは、ディスプレイ画面を見ながら、このディスプレイ画面上で個々のオブジェクトを割り付ける作業を進めることになる。図形オブジェクトとしては、矩形、円、三角形などの一般的な幾何学図形の他、多角形やベジェ曲線などで構成された任意形状の図形を取り扱うこともでき、オペレータは、所望の図形オブジェクトを生成し、これを所望の位置に所望の態様で割り付けることができる。
【０００３】
このような割付作業を行う上での便利な機能として、複数のオブジェクトを所定の条件下で整列させたり、個々のオブジェクトを変形させたりする機能も広く利用されている。この機能を利用すれば、オペレータは、個々のオブジェクト１つ１つについての割り付け位置を直接指定することなしに、自動的な割付処理を行うことができる。たとえば、複数のオブジェクトを等間隔に整列させたり、各オブジェクトの左端を一直線状に揃えたりするような位置修正も可能である。また、割り付け後にオブジェクトを自由に変形させることもできる。たとえば、画面上に矩形のオブジェクトが割り付けられている場合に、この矩形の１頂点をマウスなどでドラッグすることにより任意の矩形に変形させる機能や、円のオブジェクトが割り付けられている場合に、円周上の１点をマウスなどでドラッグすることにより任意の半径に変更させる機能などが、一般に利用されている。
【０００４】
【発明が解決しようとする課題】
上述したように、従来の一般的な割付装置には、ディスプレイ画面上に割り付けられた個々のオブジェクトを、画面上で整列させたり、変形させたりする機能が備わっている。しかしながら、特定のオブジェクトを別なオブジェクトに合わせて変形させる機能が備わっていないため、複数のオブジェクトについて、寸法を揃えるような形態での変形作業をスムーズに行うことができない。たとえば、チラシ、カタログ、雑誌などの印刷物では、複数のオブジェクトを上下あるいは左右に並べて割り付けることが多い。この場合、デザイン上の観点から、隣接して割り付けられた個々のオブジェクトの横幅あるいは縦幅を統一したり、相互の間隔を所定の寸法に統一したりする必要が生じる。ところが、従来の割付装置では、上述したように、マウスなどのドラッグ操作でオブジェクトの変形を行う必要があるため、幅や間隔を統一させるような変形作業は、非常に細かな作業となり、意図したとおりの正確な変形を行うことが困難である。
【０００５】
そこで本発明は、特定のオブジェクトを別なオブジェクトに合わせて変形させる作業を容易に行うことができる図形オブジェクトの割付装置を提供することを目的とする。
【０００６】
【課題を解決するための手段】
(1)   本発明の第１の態様は、複数の図形オブジェクトを、ディスプレイ画面上で割り付ける作業を行うための図形オブジェクトの割付装置において、
オペレータからの指示を入力する指示入力手段と、
前記オペレータからの指示に基づいて、特定の図形オブジェクトおよびその位置を示すオブジェクトデータを生成するオブジェクトデータ生成手段と、
オブジェクトデータ生成手段によって生成されたオブジェクトデータを格納するオブジェクトデータ格納手段と、
オブジェクトデータ格納手段内に格納されているオブジェクトデータに基づいて、前記ディスプレイ画面上に図形オブジェクトを表示する表示手段と、
前記オペレータからの指示に基づいて、複数の図形オブジェクトの一方の端を所定の基準線に揃える処理を行うオブジェクト整列手段と、
前記オペレータからの指示に基づいて、オブジェクトデータ格納手段内に格納されているオブジェクトデータによって示される複数の図形オブジェクトの中から、変形対象オブジェクトおよび変形参照オブジェクトを選択するとともに、前記基準線に直交する方向を変形方向と決定する変形準備手段と、
変形対象オブジェクトの変形方向に関する寸法が、変形参照オブジェクトの変形方向に関する寸法に等しくなるように、変形対象オブジェクトの前記基準線に揃えられた端の位置を固定した状態で変形対象オブジェクトを変形方向に伸縮変形させる処理を行い、オブジェクトデータ格納手段内のオブジェクトデータを更新する変形処理手段と、
を設けるようにしたものである。
【０００８】
(2)   本発明の第２の態様は、複数の図形オブジェクトを、ディスプレイ画面上で割り付ける作業を行うための図形オブジェクトの割付装置において、
オペレータからの指示を入力する指示入力手段と、
前記オペレータからの指示に基づいて、特定の図形オブジェクトおよびその位置を示すオブジェクトデータを生成するオブジェクトデータ生成手段と、
オブジェクトデータ生成手段によって生成されたオブジェクトデータを格納するオブジェクトデータ格納手段と、
オブジェクトデータ格納手段内に格納されているオブジェクトデータに基づいて、前記ディスプレイ画面上に図形オブジェクトを表示する表示手段と、
前記オペレータからの指示に基づいて、オブジェクトデータ格納手段内に格納されているオブジェクトデータによって示される複数の図形オブジェクトの中から、変形対象オブジェクトおよび変形参照オブジェクトを選択するとともに、変形方向および間隙寸法を決定し、変形方向に関して変形参照オブジェクトから最も遠くにある変形対象オブジェクト上の点を最遠点と定義する変形準備手段と、
変形対象オブジェクトと変形参照オブジェクトとの間隙が決定された間隙寸法に等しくなるように、変形対象オブジェクトを、最遠点を固定した状態で伸縮変形させる処理を行い、オブジェクトデータ格納手段内のオブジェクトデータを更新する変形処理手段と、
を設けたものである。
【０００９】
(3)   本発明の第３の態様は、上述の第２の態様に係る図形オブジェクトの割付装置において、
変形準備手段が、変形方向として、ディスプレイ画面上の縦方向または横方向のいずれか一方を選択するようにしたものである。
【００１０】
(4)   本発明の第４の態様は、コンピュータを、上述の第１〜第３の態様に係る図形オブジェクトの割付装置として機能させるためのプログラムを、コンピュータ読み取り可能な記録媒体に記録するようにしたものである。
【００１１】
【発明の実施の形態】
以下、本発明を図示する実施形態に基づいて説明する。図１は、本発明の一実施形態に係る図形オブジェクトの割付装置１００の基本構成を示すブロック図である。この図形オブジェクトの割付装置１００は、ディスプレイ装置２００の画面上で、図形オブジェクトを割り付ける作業を行うために利用され、それぞれ輪郭線で囲まれた複数の図形オブジェクトを、ディスプレイ画面上で割り付けることが可能である。この割付装置１００は、図示のとおり、指示入力手段１１０、オブジェクトデータ生成手段１２０、オブジェクトデータ格納手段１３０、表示手段１４０、オブジェクト整列手段１５０、変形準備手段１６０、変形処理手段１７０によって構成されている。
【００１２】
なお、この割付装置１００は、実際には、汎用のコンピュータハードウエアに所定のソフトウエアを組み込むことにより実現することができる。図１にブロックで示す各構成要素は、ハードウエアとソフトウエアとの有機的な結合により実現される割付装置１００を、個々の機能ごとに分けてとらえたものであり、個々の構成要素がそれぞれ独立したハードウエアを構成するわけではない。また、コンピュータを、本発明に係る割付装置１００として機能させるためのソフトウエアは、フロッピディスク、ＣＤ−ＲＯＭなどのコンピュータ読み取り可能な記録媒体に収納することができ、記録媒体の形で配布することが可能である。
【００１３】
指示入力手段１１０は、オペレータからの指示を入力する手段であり、具体的には、マウスやタブレットなどのポインティングデバイスおよびキーボードなどのコンピュータ用入力機器と、入力のためのソフトウエアとの組み合わせによって実現される手段である。
【００１４】
オブジェクトデータ生成手段１２０は、指示入力手段１１０を介して与えられたオペレータの指示に基づいて、図形の輪郭および割付位置を示すオブジェクトデータを生成する機能を有する。オペレータが、たとえば、円、矩形、三角形といった図形の形状とその大きさおよび位置を指定する入力を行うと、オブジェクトデータ生成手段１２０によって、指定どおりの形状および大きさをもった図形が生成され、指定どおりの位置に割り付けられることになる。たとえば、図２(a) に示すような矩形Ａを生成して割り付ける場合、矩形を生成するモードを指定した状態において、ディスプレイ画面上で２頂点Ｐ１，Ｐ２の位置をマウスクリックなどで指定すればよい。２頂点Ｐ１，Ｐ２の座標値を示すデータが、この矩形Ａの大きさおよび割付位置を示すデータとして入力されることになる。また、図２(b) に示すような円Ｂを生成して割り付ける場合は、円を生成するモードを指定した状態において、ディスプレイ画面上で中心点Ｐ３の位置と円周上の１点Ｐ４の位置をマウスクリックなどで指定すればよい。中心点Ｐ３の座標値を示すデータと半径ｒ（Ｐ３，Ｐ４間の距離）を示すデータとが、この円Ｂの大きさおよび割付位置を示すデータとして入力されることになる。この他、オペレータは、個々の頂点位置を指定することにより、任意の多角形を指定することもできるし、ベジェ曲線などを利用して、自由な曲線で構成される任意図形を指定することもできる。このような種々の図形オブジェクトの生成割付機能は、既に公知の機能であるため、ここでは詳しい説明は省略する。
【００１５】
こうして、オブジェクトデータ生成手段１２０において、特定の図形オブジェクトおよびその位置を示すオブジェクトデータが生成されると、このオブジェクトデータは、オブジェクトデータ格納手段１３０内に格納される。図示の例では、オブジェクトデータ格納手段１３０内には、６つのオブジェクトデータ１０〜６０が格納されている例が示されているが、これらの各オブジェクトデータ１０〜６０は、それぞれ特定の図形オブジェクト自身（その形状および大きさ）およびその割付位置を示すデータである。たとえば、オブジェクトデータ１０は、図２(a) に示す矩形Ａの形状、大きさ、位置を示すデータであり、オブジェクトデータ２０は、図２(b) に示す円Ｂの形状、大きさ、位置を示すデータである。
【００１６】
表示手段１４０は、オブジェクトデータ格納手段１３０内に格納されているオブジェクトデータに基づいて、ディスプレイ装置２００の画面上に図形オブジェクトを表示する機能を有する。オペレータは指示入力手段１１０に対して、所定部分のみを拡大表示させるような指示を与えることができ、表示手段１４０は、このようなオペレータの指示に基づいて、オブジェクトデータ格納手段１３０から必要なオブジェクトデータを読み出し、ディスプレイ画面上に指示どおりの態様で表示を行うことになる。
【００１７】
オブジェクト整列手段１５０は、オペレータの指示に基づいて、既に画面上に割り付けられている複数のオブジェクトを整列させる機能を有している。具体的には、オペレータによって指定された複数のオブジェクトの一方の端を、所定の基準線に揃える処理を行うことができる。たとえば、オブジェクトデータ格納手段１３０内に格納されているオブジェクトデータ３０により図３に示す矩形Ｃが表示され、オブジェクトデータ４０により図３に示す矩形Ｄが表示されているものとしよう。ここで、オペレータが所定の基準線Ｌ（図示の例では、矩形Ｄの左端上の線）を指定し、矩形Ｃの左端をこの基準線Ｌ上に揃えるような整列指示を与えたとすると、オブジェクト整列手段１５０は、図４に示すように、矩形Ｃを右方向に移動させる整列処理を行う。この整列処理により、矩形Ｃ，Ｄの左端の位置が揃えられたことになる。もちろん、３つ以上のオブジェクトを同一基準線上に揃えるような処理も可能である。なお、このようなオブジェクトの整列処理機能も、既に公知の機能であるため、ここでは詳しい説明は省略する。
【００１８】
本発明の特徴は、上述のような機能を有する割付装置において、更に、変形準備手段１６０および変形処理手段１７０を設け、特定のオブジェクトを別なオブジェクトに合わせて変形させる処理ができるようにした点にある。以下、この特徴について説明する。
【００１９】
たとえば、図４には、矩形Ｃ，Ｄの左端が基準線Ｌに揃えられた状態が示されている。このように、複数のオブジェクトを所定の基準線上に揃える処理は、デザイン上の見地からは非常に重要である。ただ、実用上は、このように各オブジェクトの一端の位置を揃えるだけではなく、その大きさも揃えたい場合が少なくない。具体的には、図４に示す矩形Ｃの横幅を、図５の矢印に示すように、右方向に引き伸して矩形Ｃ２に変形させるような処理を行い、矩形Ｄの横幅に揃える必要が生じることがある。一般に、上下あるいは左右に複数の矩形を配置する場合、各矩形の横幅あるいは縦幅を統一した方が均整のとれたデザインが得られる。特に、矩形図形は、写真などの画像を割り付けるための割付枠として利用されることが多く、図４に示す矩形Ｃ，Ｄ内にそれぞれ写真を割り付けたレイアウトに比べ、図５に示す矩形Ｃ２，Ｄ内にそれぞれ写真を割り付けたレイアウトの方が、デザイン的には均整のとれたものになる。
【００２０】
もちろん、従来の一般的な割付装置を用いた場合でも、図４に示されている矩形Ｃの横幅を、矩形Ｄの横幅と等しくなるように変形させて、図５に示すように、矩形Ｃ２を形成させるような作業を行うことは可能である。しかしながら、そのためには面倒な操作が必要になる。通常、矩形オブジェクトを変形させる場合、その１頂点をマウスなどでドラッグする操作を行う必要があるため、従来の割付装置を用いた場合、図４に示す矩形Ｃのたとえば右下の頂点をマウスでドラッグし、矩形Ｃの形状変化を目で確認しながら、矩形Ｄの横幅と同じ横幅の矩形が得られるまでドラッグ操作による調整作業が必要になる。
【００２１】
本発明に係る割付装置では、変形準備手段１６０および変形処理手段１７０によって、上述のような変形処理を容易に行うことができる。変形準備手段１６０は、指示入力手段１１０から与えられるオペレータの指示に基づいて、オブジェクトデータ格納手段１３０内に格納されている複数のオブジェクトの中から、変形対象オブジェクトおよび変形参照オブジェクトを選択するとともに、変形方向を決定する機能を有する。別言すれば、オペレータは、指示入力手段１１０を介して、変形準備手段１６０に、変形対象オブジェクト、変形参照オブジェクト、変形方向を指定する入力を行うことになる。ここで、変形対象オブジェクトとは、変形操作を加える対象となるオブジェクトであり、変形参照オブジェクトとは、この変形操作を加える際に、寸法を参照するオブジェクトである。上述の例の場合、図４に示す矩形Ｃを変形対象オブジェクトとして指定するとともに、矩形Ｄを変形参照オブジェクトとして指定することになる。また、変形方向は、変形対象オブジェクトを伸縮変形させる方向を示すものであり、この実施形態では、ディスプレイ画面上の縦方向または横方向のいずれか一方を選択して指定するようにしている。上述の例の場合、横方向を指定することになる。
【００２２】
変形処理手段１７０は、このような指定に基づいて、変形対象オブジェクトに対する変形処理を行う機能を有し、変形対象オブジェクトの変形方向に関する寸法が、変形参照オブジェクトの変形方向に関する寸法に等しくなるように、変形対象オブジェクトを変形方向に伸縮変形させる処理を行い、オブジェクトデータ格納手段１３０のオブジェクトデータを更新する処理を行う機能を有している。たとえば、上述の例の場合、変形準備手段１６０によって決定された変形対象オブジェクトとしての矩形Ｃおよび変形参照オブジェクトとしての矩形Ｄに関するオブジェクトデータをオブジェクトデータ格納手段１３０内から読み出し、矩形Ｃの変形方向（横方向）に関する寸法が、矩形Ｄの変形方向（横方向）に関する寸法に等しくなるように、矩形Ｃを変形方向に伸縮変形させる処理を行って、図５に示すような矩形Ｃ２を形成し、この矩形Ｃ２のオブジェクトデータによって、オブジェクトデータ格納手段１３０内の矩形Ｃのオブジェクトデータを更新（上書き）する処理が行われることになる。
【００２３】
結局、オペレータが、変形対象オブジェクトおよび変形参照オブジェクトを、マウスクリックなどで選択し、変形方向を指示する入力を行うだけで、所望の変形処理が行われることになるので、オペレータの作業負担は非常に軽いものになる。また、オブジェクト整列手段１５０による整列処理が行われた場合には、この整列処理に関連させて、変形方向を自動的に決定させることも可能である。上述したように、オブジェクト整列手段１５０は、オペレータの指示に基づいて、複数のオブジェクトの一方の端を所定の基準線に揃える整列処理を行うことができるので、そのような整列処理が行われた場合には、変形準備手段１６０によって、この基準線に直交する方向を変形方向と決定し、更に、変形処理手段１７０によって、変形対象オブジェクトの基準線に揃えられた端の位置を固定した状態で伸縮変形させる処理を行うようにするとよい。図４に示す例の場合、基準線Ｌが縦方向の線であるので、これに直交する横方向が変形方向として自動的に決定されることになり、矩形Ｃのうち、基準線に揃えられた左端の位置を固定した状態で横方向への伸縮変形が行われ、図５に示すような矩形Ｃ２が得られることになる。このようにオブジェクトの整列処理と連動して、オブジェクトの変形処理が行われるようにしておけば、オペレータが、変形対象オブジェクトと変形参照オブジェクトとを指定するだけで、所望の変形が行われることになる。
【００２４】
本発明に係る割付装置では、変形対象オブジェクトを、変形参照オブジェクトとの間隔が所定の値となるように変形させることも可能である。すなわち、オペレータが、指示入力手段１１０を介して、オブジェクトデータ格納手段１３０内に格納されている複数のオブジェクトの中から、変形対象オブジェクトおよび変形参照オブジェクトを選択するとともに、変形方向および間隙寸法を指定すると、変形準備手段１６０は、この指定された変形方向に関して、変形参照オブジェクトから最も遠くにある変形対象オブジェクト上の点を最遠点と定義する。そして、変形処理手段１７０は、変形対象オブジェクトと変形参照オブジェクトとの間隙が、指定された間隙寸法に等しくなるように、変形対象オブジェクトを、その最遠点を固定した状態で伸縮変形させる処理を行い、オブジェクトデータ格納手段１３０内のオブジェクトデータを更新する変形処理を実行する。
【００２５】
たとえば、図５に示す状態において、オペレータが、矩形Ｃ２を変形対象オブジェクトとして指定し、矩形Ｄを変形参照オブジェクトとして指定したとする。更に、図の縦方向を変形方向として指定し、間隙寸法を０と指定したとしよう。この場合、矩形Ｄから最も遠くにある矩形Ｃ２上の点は、矩形Ｃ２の上辺上の点であるので、この矩形Ｃ２の上辺上の点が最遠点として定義される。そして、この最遠点を固定した状態で、矩形Ｃ２を縦方向に伸縮させ、矩形Ｄとの間隙が指定された間隙寸法（＝０）になるように変形すれば、図６に示すような矩形Ｃ３が得られることになる。矩形Ｃ３と矩形Ｄとの間隙寸法は、指定されたとおり０となっており、矩形Ｃ３と矩形Ｄとは上下に連なる連続領域を形成することになる。写真などの画像用割付枠として利用される矩形の場合、このように２つの矩形が接触するように隣接配置するようなレイアウトがとられることが少なくない。本発明に係る割付装置では、このような割付作業も容易に行うことができる。
【００２６】
もちろん、間隙寸法は必ずしも０に設定する必要はなく、任意の寸法に設定することができる。たとえば、図７に示すように、２つの矩形Ｅ，Ｆが左右に並んで配置されている状態において、矩形Ｅを変形参照オブジェクトとして指定し、矩形Ｆを変形対象オブジェクトとして指定し、変形方向を横方向に設定し、間隙寸法をｄに設定したとすれば、矩形Ｆの右辺上の点が最遠点となって固定されるため、図に破線で示すように、矩形Ｆの左辺が図の左方へと移動するような変形が行われ、矩形Ｆを矩形Ｆ２に変形する処理が行われることになる。なお、変形方向は、必ずしもオペレータによって入力する必要はなく、変形対象オブジェクトと変形参照オブジェクトとが、図６に示す例のように上下に配置されていた場合には縦方向を変形方向と決定し、図７に示す例のように左右に配置されていた場合には横方向を変形方向と決定するようにすれば、変形方向は自動的に設定することができる。
【００２７】
以上、本発明に係る図形オブジェクトの割付装置を一実施形態に基づいて説明したが、本発明はこの実施形態に限定されるものではなく、この他にも種々の形態で実施可能である。特に、上述の実施形態では、矩形のオブジェクトの変形を例にとって説明したが、本発明は矩形だけでなく、様々な形の図形オブジェクトについても同様に適用可能である。
【００２８】
【発明の効果】
以上のとおり本発明に係る図形オブジェクトの割付装置によれば、変形対象オブジェクトと変形参照オブジェクトとを指定し、前者を後者の寸法もしくは位置に合わせて変形させるようにしたため、特定のオブジェクトを別なオブジェクトに合わせて変形する処理を自動的に行うことができるようになる。
【図面の簡単な説明】
【図１】本発明の一実施形態に係る図形オブジェクトの割付装置１００の基本構成を示すブロック図である。
【図２】一般的な図形オブジェクトの割付装置における矩形および円の作成方法を示す図である。
【図３】整列前の２つの矩形Ｃ，Ｄのレイアウトを示す図である。
【図４】図３に示す矩形Ｃと矩形Ｄとを基準線Ｌに揃えた状態を示す図である。
【図５】本発明に係る機能を用いて、図４に示す矩形Ｃの横幅を矩形Ｄの横幅に揃える処理を行った状態を示す図である。
【図６】本発明に係る機能を用いて、図５に示す矩形Ｃ２を、矩形Ｄに接するまで伸ばす処理を行った状態を示す図である。
【図７】本発明に係る機能を用いて、２つの矩形Ｅ，Ｆについての間隙寸法がｄになるように、矩形Ｆを変形する処理を行っている状態を示す図である。
【符号の説明】
１０〜６０…オブジェクトデータ
１００…図形オブジェクトの割付装置
１１０…指示入力手段
１２０…オブジェクトデータ生成手段
１３０…オブジェクトデータ格納手段
１４０…表示手段
１５０…オブジェクト整列手段
１６０…変形準備手段
１７０…変形処理手段
２００…ディスプレイ装置
Ａ〜Ｆ…図形オブジェクト
Ｃ２，Ｃ３，Ｆ２…変形後の図形オブジェクト
Ｌ…基準線
Ｐ１，Ｐ２…頂点
Ｐ３…中心点
Ｐ４…円周上の点
ｄ…間隙寸法
ｒ…半径
【図１】
0004618746.tif 000002
【図２】
0004618746.tif 000003
【図３】
0004618746.tif 000004
【図４】
0004618746.tif 000005
【図５】
0004618746.tif 000006
【図６】
0004618746.tif 000007
【図７】
0004618746.tif 000008